(57)【特許請求の範囲】
【請求項１】
パチンコ機の前面枠に設けられた球タンクに島台の球供給樋と連通する補給筒を垂下し該球タンク内にパチンコ球を補給する装置であって、鉛直面内で回転自在なるように軸支することで前方起立状態および垂下状態となり得る補給筒と、該補給筒を前方起立状態となる方向に付勢する第１バネと、該補給筒の後側で該補給筒の上端基部付近から所定の角度をもって後方に延びていて該補給筒と同時に回転し得るように設けられた作動杆と、該補給筒に設けられていて該補給筒の先端部開口を開閉する球止片と、該先端部開口が閉じられるように付勢する第２バネとからなり、作動杆と球止片と第２バネとは硬質プラスチックにより一体に成形し、かつ該作動杆と球止片とは二股状に一体に成形されていてその共通基部を補給筒の後側で該補給筒の上端基部付近に軸支するとともに、第２バネは作動杆の下端部から該作動杆の後側にて上方に向かって延びていて複数の屈曲部を有する板バネ状の形態に成形され、該第２バネの上端部を補給筒の上端基部付近であって前記作動杆と球止片との共通基部が軸支された部位の後側に僅かに離間させて軸支することで作動杆は該第２バネの弾性によって前方に付勢されて球止片が補給筒の先端部開口を閉塞し、前面枠を閉じる過程で球タンクが作動杆に当たって第１バネの弾性に抗して該作動杆および補給筒を回転させることで該補給筒が該球タンク内に垂下状態となって停止し、該球タンクによって該作動杆がさらに押圧されることで該作動杆と一体の球止片が第２バネの弾性に抗して可動し補給筒の先端部開口が開放されるようにしたことを特徴とするパチンコ球補給装置。
【請求項２】
作動杆と球止片と第２バネとをポリカーボネイト樹脂により一体に成形した請求項１に記載のパチンコ球補給装置。
【発明の詳細な説明】
【技術分野】
【０００１】
本発明はパチンコ機の前面枠に設けられた球タンクに島台の球供給樋からパチンコ球を補給する装置に関するものである。
【背景技術】
【０００２】
パチンコ機の前面枠に設けられた景品球タンクに島台の球供給樋から補給筒を垂下することにより該球タンク内にパチンコ球を補給する装置であって、該補給筒が前面枠を開閉するのに伴い回転して前方起立状態または垂下状態となり、その回転の途中でストッパーピン等を補給筒内に出没させることにより該補給筒が開閉され、パチンコ球の流出が制御されるようにした景品球補給装置は下記特許文献１等により知られている。
【特許文献１】特開平３−１４９０７２号公報
【発明の開示】
【発明が解決しようとする課題】
【０００３】
ところで、従来の景品球補給装置は、前面枠を開けることに伴い、補給筒が回転するのに従動してストッパーピン等が補給筒内に侵入するように構成されていたので、前面枠を急に開けると補給筒内に残っていたパチンコ球が球タンク外にこぼれ落ちるおそれがあった。このため、前面枠を開けると同時に補給筒から流出した球を他方の手の平で受ける必要があり、なれないと遊技場の床にこぼれ球を散乱させるおそれがあった。また、従来のパチンコ球補給装置は、構成に必要とする部品点数が多く、その組立にも手間を要するので、製造コストが高くなる欠点があった。
【０００４】
そこで本発明は、前面枠が開けられかけると即座に補給筒が閉じられるとともに、前面枠が完全に閉じられた後にはじめて補給筒が開けられるようにすることで、従来の上記のようなこぼれ落ちるおそれのないパチンコ球補給装置を提供しようとするものである。
また、本発明は、パチンコ球補給装置を構成するのに必要な部品点数を削減し、製造、組立に要するコストを軽減しようとするものである。
【課題を解決するための手段】
【０００５】
そのために請求項１に記載のパチンコ球補給装置は、パチンコ機の前面枠に設けられた球タンクに島台の球供給樋と連通する補給筒を垂下し該球タンク内にパチンコ球を補給する装置であって、鉛直面内で回転自在なるように軸支することで前方起立状態および垂下状態となり得る補給筒と、該補給筒を前方起立状態となる方向に付勢する第１バネと、該補給筒の後側で該補給筒の上端基部付近から所定の角度をもって後方に延びていて該補給筒と同時に回転し得るように設けられた作動杆と、該補給筒に設けられていて該補給筒の先端部開口を開閉する球止片と、該先端部開口が閉じられるように付勢する第２バネとからなり、作動杆と球止片と第２バネとは硬質プラスチックにより一体に成形し、かつ該作動杆と球止片とは二股状に一体に成形されていてその共通基部を補給筒の後側で該補給筒の上端基部付近に軸支するとともに、第２バネは作動杆の下端部から該作動杆の後側にて上方に向かって延びていて複数の屈曲部を有する板バネ状の形態に成形され、該第２バネの上端部を補給筒の上端基部付近であって前記作動杆と球止片との共通基部が軸支された部位の後側に僅かに離間させて軸支することで作動杆は該第２バネの弾性によって前方に付勢されて球止片が補給筒の先端部開口を閉塞し、前面枠を閉じる過程で球タンクが作動杆に当たって第１バネの弾性に抗して該作動杆および補給筒を回転させることで該補給筒が該球タンク内に垂下状態となって停止し、該球タンクによって該作動杆がさらに押圧されることで該作動杆と一体の球止片が第２バネの弾性に抗して可動し補給筒の先端部開口が開放されるようにしたことを特徴とする。
また、請求項２に記載の発明は、上記パチンコ球補給装置において、作動杆と球止片と第２バネとをポリカーボネイト樹脂により一体に成形したことを特徴とする。
【発明の効果】
【０００６】
球をこぼすことなく前面枠を開閉できることから前面枠の開閉操作が容易となる。また、パチンコ球補給装置を構成する部品点数を少なくできるので製造コストが軽減される。
【発明を実施するための最良の形態】
【０００７】
次に本発明の実施形態を図面に従い説明する。図１は本発明に係るパチンコ球補給装置の正面図、図２はその斜視図、図３は縦断面図、図４は図１のＡ−Ａ線断面図、図５は分解斜視図である。図中、１は透明な合成樹脂により成形された略平方形状の基板、２は合成樹脂製の被着板、３は合成樹脂製のエルボ状の球導入筒、４は合成樹脂製の箱状の球計数器ケース、５は合成樹脂製の補給筒、６は該補給筒の基部に固着される合成樹脂製のカバー体、７は第１バネ、８は合成樹脂製の作動杆、９は合成樹脂製の球止片、１０は合成樹脂製の第２バネ、１１ａ，１１ｂはマイクロスイッチである。なお、作動杆８と球止片９と第２バネ１０とは耐熱性を有する硬質プラスチックであるポリカーボネイト樹脂により一体に成形される。
【０００８】
基板１と被着板２とはビス１２によって数カ所で固着されるもので、該基板１と被着板２とが対向する面に囲板１ａ，２ａが夫々一体に形成され、該囲板によって囲われた箱状空間に一側の開放辺１ｂ，２ｂ側から球計数器ケース４を挿入し得る。また、該被着板２の上部の囲片２ｃは切込２ｄを形成することにより弾力性を備えるように形成され、該囲片２ｃの先端に逆止爪２ｅを形成している。このため、挿入された球計数器ケース４に該逆止爪２ｅが係合することで該球計数器ケース４を脱落させない。なお、球計数器ケース４は、その上面一側寄りに球入口４ａが形成され、該球入口４ａの直下に球出口４ｂが形成されたもので、該ケース４内に必要に応じパチンコ球の通過に伴って回転するスプロケット、およびその回転数を計数するセンサが必要に応じて設けられ、その電気的出力によりパチンコ球が計数される。
【０００９】
また、囲板１ａ，２ａの一側寄り上部に合成樹脂の射出金型成形の都合から半割状内向フランジ１ｆ，２ｆが夫々形成され、基板１に被着板２を固着したとき該半割状内向フランジ１ｆ，２ｆ間に球導入筒３の基部に形成された鍔部３ａが挟着されるようにすることにより該球導入筒３の基部が回転自在に保持される。また、同じく合成樹脂の射出金型成形の都合から基板１と被着板２の対向面で囲板１ａ，２ａの下方部にそれぞれ一体にエルボ半割体１ｇ，２ｇが成形されている。そして、球導入筒３より球計数器ケース４中を通って流落したパチンコ球が、該エルボ半割体の合着によって形成されるエルボ１５を通過することにより水平方向に方向転換される。また、基板１の下辺に切欠１ｈが形成され該切欠に該エルボ１５の側端開口が対向するようにしており、その開口縁の内周面に相当するように該各エルボ半割体の内面に周溝１ｉ，２ｉが形成されている。また、基板１の切欠１ｈを隔てて該エルボ半割体とは反対側に軸受片１ｊが形成され、被着板２には該軸受片１ｊと相対する軸受片２ｊが形成されている。１ｋは基板１の下辺で軸受片１ｊ近くに形成されたバネ掛用フックである。また、２ｍは被着板２の表面にマイクロスイッチ１１ａ，１１ｂを固着するために隆起状に形成されたスイッチ取付部、２ｐは該スイッチの取付片である。また、基板１の一側縁に前面からも判るように寸法目盛１ｍが形成されている。
【００１０】
補給筒５は上端基部５ａが直交状に屈曲していてその開口端部５ｂを前記エルボ１５内に遊嵌し、該開口端の外周に形成された鍔部５ｃを周溝１ｉ，２ｉに回転自在に嵌合摺接させている。また該補給筒５の上端基部５ａの開口端部５ｂとは反対側には支軸５ｄが突設され該支軸５ｄが前記軸受片１ｊ，２ｊによって回転自在に支持される。これによって該補給筒５は前後方向に鉛直面内で回転自在なるように軸支され前方起立状態および垂下状態となり得る。なお、補給筒５についても合成樹脂の射出金型成形の都合から縦断線ｋによって２分割された半割体を先に成形し、これを合着することにより該補給筒５およびその支軸５ｄが形成されるようにしている。そして該支軸５ｄに突設されたバネ掛用フック５ｅと前記バネ掛用フック１ｋに引張状のコイルバネである第１バネ７の両端を掛止し該第１バネ７を該支軸５ｄの周囲に巻き掛けて該第１バネの弾性により該支軸５ｄに回転トルクを及ぼすことにより該補給筒５を前方起立状態となる方向に付勢している。
【００１１】
カバー体６は補給筒５の上端基部５ａを覆い得る形状に形成され、該カバー体６の上部外面にマイクロスイッチ１１ａ，１１ｂを作動させるカム部６ａが形成されている。該カバー体６はビス１３によって該上端基部５ａに固着される。また該カバー体６の両側に垂下壁部６ｂが一体に形成され、該垂下壁部６ｂの内面に２つの軸受部６ｃ，６ｄが近接して形成され、該垂下壁部６ｂの下端部がビス１４によって補給筒５に固着される。該補給筒５の先端（下端）部開口５ｆ縁に切込５ｇが形成されている。なお、５ｈは上端基部５ａに突設された位置決ピン、６ｅは該位置決ピンが嵌合するようにカバー体６の内面に形成された筒孔である。しかして該補給筒５は、前記したように前後方向に鉛直面内で回転自在なるように軸支され、図３に示したように前方起立状態となったときは該補給筒５が基板１の切欠１ｈ内下縁に当接することでそれ以上の回転が制止され、また補給筒５が図１１，図１２に示したように垂下状態となったときはカバー体６の上端部が被着板２の下縁部に当接することでそれ以上の回転が制止され、これによって該補給筒５の回転許容範囲は約８０度に制限されている。また、補給筒５が前方起立状態となったとき、カム部６ａがマイクロスイッチ１１ａ，１１ｂを作動させる。
【００１２】
作動杆８と球止片９とは約４５度程度の角度にて拡がる二股状に一体に成形されており、その共通基部８ａに支軸８ｂが形成され、該支軸８ｂを前記軸受部６ｃに装着することにより、該共通基部８ａを補給筒５の後側で該補給筒５の上端基部５ａ付近に軸支している。球止片９は補給筒５の後側面に沿って下方に延び、先端（下端）に突起９ａが形成され、該突起９ａが前記切込５ｇから該補給筒５内に出没自在なるようにしている。また、作動杆８は球止片９より長く形成され、その下端部から該作動杆８の後側にて上方に向かって延びた板バネ状の形態に第２バネ１０を成形している。なお、８ｃは該作動杆８が肉厚になるのを避けるために該作動杆の両側面に形成された肉盗溝である。また、該第２バネ１０は略半円連接形の屈曲部１０ｂ，１０ｃの上部にヘヤピンカーブ形の屈曲部１０ｄが連設されているように複数の屈曲部１０ｂ〜１０ｄを有する形態に形成される。そして、該第２バネ１０の上端部に支軸１０ａを突設し、該支軸１０ａを前記軸受部６ｄに装着することにより、該第２バネ１０を補給筒５の上端基部５ａ付近であって前記支軸８ｂの近傍、即ち、前記共通基部８ａが軸支された部位の後側に僅かに離間させて軸支している。このため作動杆８は該第２バネ１０の弾性により前方に付勢されて球止片９の突起９ａが前記切込５ｇから該補給筒５内に突入し該先端部開口５ｆを閉塞する。
【００１３】
図６はこのパチンコ球補給装置を島台に取付けるための取付装置、図７はそのＢ−Ｂ線断面図、図８はこの取付装置にこのパチンコ球補給装置をセットした状態の斜視図である。また、図９はパチンコ機の裏面側から見た島台上部の背面図、図１０はその要部の縦断面図を示す。図中、２０は該島台の球供給樋、２１は該球供給樋から分岐して下方に導出され先端を球導入筒３に接続した可撓性コイルバネ状の球供給ホース、２２は該島台の上部に水平に設けられた補給装置取付用レールである。該レール２２はアルミニウムの押出成形により横断面が略Ｌ字状に形成され正面にアリ溝２２ａが形成されている。２３は透明な合成樹脂により成形された取付板で、該取付板はレール２２に水平移動可能に設けられ、図７に示したように前記アリ溝２２ａに頭部２４ａを遊嵌したボルト２４を該取付板２３に貫挿し該取付板の表側から該ボルト２４に蝶ナット２４ｂを螺合し、該蝶ナット２４ｂを締め付けることで該取付板２３を該レール２２上の所要位置に位置調節して固定できるようにしている。また該取付板２３の前面に内向リブ２３ｂが形成され、該内向リブ２３ｂにより前記基板１の両側縁を包持することにより該基板１を上下移動可能に支持している。また、２５は該基板１に螺合した摘子付きボルトで、該ボルト２５をねじ込むことによりその摘子部が基板１の両側縁部に圧着する。このため該基板１を前記寸法目盛１ｍを見ながら高さに調節して該ボルト２５をねじ込むことにより該該基板１を所望の高さに固定できる。また、３０はパチンコ機の機枠、３１は該機枠に開閉可能なるように一側がヒンジされた前面枠、３２は該前面枠の背面上部に設けられた球タンクである。
【００１４】
このように構成されたパチンコ球補給装置は、球供給ホース２１を通して球供給樋２０と連通するパチンコ球ｐが、球計数器ケース５、エルボ１５を通って補給筒５に連通し、図１０に示したように前面枠３１が開かれた状態では該補給筒５の先端部開口５ｆが突起９ａによって閉塞されていることから該パチンコ球ｐの流出が止められる。そして前面枠３１を閉じる過程では、図１１に示したように球タンク３２の後側壁が作動杆８に当たり第１バネ７の弾性に抗して該作動杆８および補給筒５を回転させることで該補給筒５が図示したように該球タンク３２内に垂下状態となって該補給筒５の回転が停止する。そしてこの状態から図１２に示したように前面枠３１を完全に閉じた状態とすることで球タンク３２の後側壁が作動杆８をさらに押圧することとなる。そうすると該作動杆８と一体の球止片９が第２バネ１０の弾性に抗して可動し、同図に示したように、突起９ａが切込５ｇから退避し補給筒５の先端部開口５ｆが開放される。これにより、該補給筒５から球タンク３２にパチンコ球ｐが補給される。そして該パチンコ球ｐが該球タンク３２内に一定レベルとなるまで貯留される。
【００１５】
一方、故障時等に前面枠３１を開ける際は、鍵を解除したとき図１１に示したように該前面枠３１が僅かに開いた状態となり、球タンク３２によって作動杆８を押圧していた力が無くなるので、第２バネ１０の弾性により球止片９が元に戻され突起９ａが補給筒５内に突出することで先端部開口５ｆが閉塞されパチンコ球ｐの流出が止められることから該補給筒５内のパチンコ球は流出できなくなる。このため前面枠３１を開きかけた瞬間にパチンコ球ｐの流出が止められ、パチンコ球が球タンク３２外にこぼれ落ちるようなおそれがない。このようにこのパチンコ球補給装置では前面枠を開けたときに補給筒内の球を外にこぼれすおそれがないので、故障発生時等における前面枠の開閉作業を容易ならしめる。
【００１６】
また、このパチンコ球補給装置は、作動杆８と球止片９と第２バネ１０とをポリカーボネイト樹脂等の硬質プラスチックにより一体に成形したことから、所要部品点数が削減されると共に、これによって組立も容易になることから製造コストが大幅に軽減される。
また、第２バネ１０は、硬質プラスチックにより複数の屈曲部を有する板バネ状の形態に成形されているので、パチンコ機を構成するマイクロコンピュータ基板，ディスプレイ，モータ，ソレノイド等の電気機器や照明等から発せられる熱気により高温度となった遊技場環境に長時間置かれそのプラスチック材料の弾性的特質が幾分損なわれるようなことがあっても所期の弾性復元力が堅持され、前面枠３１を開けた際にその弾性復元力によって補給筒５の先端部開口５ｆを確実に閉じさせ、パチンコ球をこぼさないようにすることができる。従って、このように複数の屈曲部を有する板バネ状の形態は、高温度の環境に長時間置かれてもその性能を維持するうえで顕著である。
【００１７】
なお、マイクロスイッチ１１ａ，１１ｂは、前面枠３１の開閉を検知し、その検知情報をホールコンピュータに発信すると共に、その検知情報に従い遊技場内に設けられた監視カメラを前面枠３１が開いたパチンコ機に指向させその映像を撮影し記録に残すことにより、不正行為を防止するのに使用される。
【図面の簡単な説明】
【００１８】
【図１】本発明に係るパチンコ球補給装置の実施形態を示す正面図。
【図２】図１のパチンコ球補給装置の斜視図。
【図３】図１のパチンコ球補給装置の縦断面図。
【図４】図１のＡ−Ａ線断面図。
【図５】図１のパチンコ球補給装置の分解斜視図。
【図６】本発明に係るパチンコ球補給装置の取付装置の斜視図。
【図７】図６のＢ−Ｂ線断面図。
【図８】図６の取付装置にパチンコ球補給装置をセットした状態の斜視図。
【図９】本発明に係るパチンコ球補給装置を取付けたパチンコ機をその裏面側から見た島台上部の背面図。
【図１０】本発明に係るパチンコ球補給装置を取付けたパチンコ機の縦断面図。
【図１１】図１０の作動状態図。
【図１２】図１０の作動状態図。
【符号の説明】
【００１９】
１                基板
１ｊ              軸受片
２                被着板
２ｊ              軸受片
５                補給筒
５ａ              上端基部
５ｄ              支軸
５ｆ              先端部開口
６                カバー体
６ｃ，６ｄ        軸受部
７                第１バネ
８                作動杆
８ａ              共通基部
８ｂ              支軸
９                球止片
９ａ              突起
１０              第２バネ
１０ａ            支軸
１０ｂ〜１０ｄ    屈曲部
２０              球供給樋
３１              前面枠
３２              球タンク
ｐ                パチンコ球
【図１】
0004796822.tif 000002
【図２】
0004796822.tif 000003
【図３】
0004796822.tif 000004
【図４】
0004796822.tif 000005
【図５】
0004796822.tif 000006
【図６】
0004796822.tif 000007
【図７】
0004796822.tif 000008
【図８】
0004796822.tif 000009
【図９】
0004796822.tif 000010
【図１０】
0004796822.tif 000011
【図１１】
0004796822.tif 000012
【図１２】
0004796822.tif 000013